(57)【要約】【課題】入力操作時に他人の視線を遮って入力情報の読み取りを防ぐとともに、盗撮用カメラ等の設置を困難にして個人情報の漏洩を確実に阻止することができる入力情報保護装置を提供する。【解決手段】入力情報保護装置１ａは、入力部を覆うように設置されるとともに覗き窓９ａと挿入口４が設けられた不透明素材からなる筐体２と、筐体２の内部に回動自在に設置される板材５と、この板材５からの出力データを処理する処理部６と、制御部８の指令信号を受けて板材５を駆動する駆動部５ｃとを備えている。【選択図】図１
2008027433.tif 000002
【特許請求の範囲】
【請求項１】
キーボード又は画面の操作によって秘匿情報又は認証情報が入力される入力部に覆設される入力情報保護装置において、前記入力部を覆うとともに使用者から見て手前側の上部及び下部に窓部及び挿入口がそれぞれ設けられた不透明素材からなる筐体と、この筺体内部に設置された異物を検出する異物検出部とを備え、この異物検出部は前記筐体の下部側面の近傍に取り付けられた支軸部を中心として回動自在に設置される板材と、この板材に加えられた力を検出するセンサと、このセンサの検出値が所望の値を超えた場合に検出信号を発する処理部と、前記板材を回動する駆動部とからなることを特徴とする入力情報保護装置。
【請求項２】
上面に覗き窓が設けられた不透明素材からなる窓板を備え、前記筐体は使用者から見て手前側上部に前記窓部に代えて窓用開口部が設けられ、前記窓板は、この窓用開口部の前記覗き窓以外の箇所を遮蔽可能に、かつ前記筐体表面に沿って摺動自在に設置されることを特徴とする請求項１記載の入力情報保護装置。
【請求項３】
前記異物検出部は、前記板材、前記センサ及び前記駆動部に代えて、光、音波及び電磁波の少なくともいずれかを出力する発信部と、この発信部からの出力に対する応答パターンを検知する受信部と、この応答パターンを記憶するメモリ部とを備え、前記受信部によって新たに検知される応答パターンが予め前記筐体内部に異物が存在しない状態で検知されて前記メモリ部に記憶されている基準応答パターンと異なる場合に前記処理部が前記検出信号を発することを特徴とする請求項１又は請求項２に記載の入力情報保護装置。
【請求項４】
遮蔽面に覗き窓が設けられるとともに前記筐体の下部側面の近傍に取り付けられた支軸部を中心として回動自在に設置される不透明素材からなる遮蔽部を備え、前記筐体は使用者から見て手前側上部に前記窓部又は前記窓用開口部に代えて開口部が設けられ、前記遮蔽部は、前記入力部の使用時には前記挿入口を遮蔽することなく前記覗き窓を除いて前記開口部を遮蔽し、前記入力部の不使用時には前記開口部を遮蔽することなく前記挿入口を遮蔽することを特徴とする請求項１乃至請求項３のいずれか１項に記載の入力情報保護装置。
【請求項５】
前記筐体は不透明素材に代えて透明素材によって形成され、前記入力部の使用時には前記筐体の内部を略完全に遮蔽し、前記筐体の不使用時には前記筐体の表面を通して内部を露出させることを特徴とする請求項４記載の入力情報保護装置。
【請求項６】
前記筐体の少なくとも一部は、液晶が封入された透明な部材と一対の偏光フィルターによって形成されるとともに、前記液晶に電圧を印加する電源部を備えたことを特徴とする請求項１又は請求項２に記載の入力情報保護装置。
【請求項７】
前記筐体は端末装置等における前記入力部の設置面に設けられたスリット状の収納部に引き出し自在に収納されることを特徴とする請求項１記載の入力情報保護装置。
【請求項８】
圧電素子と、この圧電素子に電圧を供給して縦弾性波を発生させる電源部と、演算処理部と、メモリ部とを備え、前記圧電素子は前記縦弾性波に対する応答波形を検知し、この応答波形が前記メモリ部に予め記憶されている基準応答波形と異なる場合に前記演算処理部が前記検出信号を発することを特徴とする請求項１乃至請求項７のいずれか１項に記載の入力情報保護装置。
【請求項９】
前記圧電素子に代えて振動センサを備え、この振動センサに前記電源部は電圧を供給し、前記演算処理部は前記振動センサが所望の大きさを超える振動を検知した場合に前記検出信号を発することを特徴とする請求項８記載の入力情報保護装置。
【発明の詳細な説明】
【技術分野】
【０００１】
本発明は、金融機関等の端末装置に入力する個人情報の漏洩を防止する装置に係り、特に端末装置への入力操作の際に個人情報を他人に読み取られないように保護する入力情報保護装置に関する。
【背景技術】
【０００２】
銀行などにおいて現金自動預入支払機を操作する際に、暗証番号や認証情報等の個人情報を第三者に盗み見られて預金を引き出されるという被害が多発している。こうした被害に遭わないためには、個人情報を入力する前に不審な人物が周囲に居ないか十分に確認しておくことが必要である。しかしながら、予め設置した小型のＣＣＤカメラの映像を無線で送信するなど、近年、その手口はますます巧妙になっている。そこで、このような犯罪を防止するため、第三者による個人情報の読み取りを阻止する技術の開発が盛んに行われており、これまでにもいくつかの発明や考案が開示されている。
【０００３】
例えば、特許文献１には、「暗証番号入力装置」という名称で、他人に盗み見られることなく安心して暗証番号を入力することができる装置に関する発明が開示されている。
この発明は、暗証入力キーパッドを箱の内部に配置し、手を差し込んで暗証入力キーパッドを操作できるように箱の前面に挿入口を設け、さらに箱の上面に暗証入力キーパッドのキー位置を確認するための入力操作確認窓を設けた構造を備えるものである。これにより、他人の視線を遮るとともに、使用者本人は入力操作確認窓を開けてキー操作を確認しつつ、確実に暗証番号を入力することができる。
【０００４】
次に、特許文献２には、「暗証番号入力方法および暗証番号入力装置」という名称で、手の動きや手の位置を基にして第三者に暗証番号を読み取られないようにする方法とそれを用いた装置に関する発明が開示されている。
この発明は、乱数で発生させた０から９のいずれか１つの数字を表示させ、該当する数字が表示された場合には確定キーを押下して数字を確定するという操作を繰り返して暗証番号を入力するというものである。このような方法及びそれを用いた装置によれば、指の動きや位置などを基にして第三者に暗証番号などを読み取られるおそれがない。
【０００５】
【特許文献１】特開２００１−１４７７６３号公報
【特許文献２】特開２００５−１８２０９４号公報
【発明の開示】
【発明が解決しようとする課題】
【０００６】
しかしながら、上述の従来技術である特許文献１に開示された発明は、外部からの情報の読み取りは防止できるものの、内部に小型カメラなどを設置されると容易に情報を読み取られてしまうおそれがある。特に、装置の形状が箱型であることから、内部に死角が発生し易く、小型カメラなどが設置された場合に発見し難いという課題があった。
【０００７】
また、特許文献２に開示された発明は、予め設置されたカメラなどを用いた隠し撮りに対しては効果がない。すなわち、カメラなどによって隠し撮りされた場合には、表示された番号そのものを読み取られてしまうため、操作ボタンの数を少なくするとともに、番号をランダムに表示してその予測を困難にするという方法では、暗証番号の読み取りをほとんど防ぐことができない。また、本発明では操作ボタンが２つしかないため、複雑な情報の入力操作には対応し難く、汎用性が低いという課題があった。さらに、暗証番号以外のアルファベット等を含むパスワード入力の場合には、ランダムに表示させると該当する文字や記号まで待つのに時間がかかり過ぎるという課題もあった。
【０００８】
本発明はかかる従来の事情に対処してなされたものであり、入力操作時に他人の視線を遮って入力情報の読み取りを防ぐとともに、盗撮用カメラ等の設置を困難にして個人情報の漏洩を確実に阻止することができる入力情報保護装置を提供することを目的とする。
【課題を解決するための手段】
【０００９】
上記目的を達成するため、請求項１記載の発明である入力情報保護装置は、キーボード又は画面の操作によって秘匿情報又は認証情報が入力される入力部に覆設される入力情報保護装置において、入力部を覆うとともに使用者から見て手前側の上部及び下部に窓部及び挿入口がそれぞれ設けられた不透明素材からなる筐体と、この筺体内部に設置された異物を検出する異物検出部とを備え、この異物検出部は筐体の下部側面の近傍に取り付けられた支軸部を中心として回動自在に設置される板材と、この板材に加えられた力を検出するセンサと、このセンサの検出値が所望の値を超えた場合に検出信号を発する処理部と、板材を回動する駆動部とからなることを特徴とするものである。
このような構造の入力情報保護装置においては、使用者が入力部を操作する際に、不透明な筐体が第三者の視線を遮るように作用する。従って、第三者によって入力情報が読み取られる心配がない。また、筐体内部に回動自在に設置された検知部は異物を検知し、かつ、排除するように作用する。
【００１０】
また、請求項２記載の発明は、上面に覗き窓が設けられた不透明素材からなる窓板を備え、筐体は使用者から見て手前側上部に窓部に代えて窓用開口部が設けられ、窓板は、この窓用開口部の覗き窓以外の箇所を遮蔽可能に、かつ筐体表面に沿って摺動自在に設置されることを特徴とするものである。
このような構造の入力情報保護装置においては、使用者の視点の高さに応じて覗き窓の位置が容易に調節される。
【００１１】
また、請求項３記載の発明は、請求項１又は請求項２に記載の入力情報保護装置において、異物検出部は、板材、センサ及び駆動部に代えて、光、音波及び電磁波の少なくともいずれかを出力する発信部と、この発信部からの出力に対する応答パターンを検知する受信部と、この応答パターンを記憶するメモリ部とを備え、受信部によって新たに検知される応答パターンが予め筐体内部に異物が存在しない状態で検知されてメモリ部に記憶されている基準応答パターンと異なる場合に処理部が検出信号を発することを特徴とするものである。
このような構造の入力情報保護装置においては、請求項１又は請求項２に記載の発明よりも異物の検知に要する時間が短縮されるという作用を有する。
【００１２】
請求項４記載の発明は、請求項１乃至請求項３のいずれか１項に記載の入力情報保護装置において、遮蔽面に覗き窓が設けられるとともに筐体の下部側面の近傍に取り付けられた支軸部を中心として回動自在に設置される不透明素材からなる遮蔽部を備え、筐体は使用者から見て手前側上部に窓部又は窓用開口部に代えて開口部が設けられ、遮蔽部は、入力部の使用時には挿入口を遮蔽することなく覗き窓を除いて開口部を遮蔽し、入力部の不使用時には開口部を遮蔽することなく挿入口を遮蔽することを特徴とするものである。
このような構造の入力情報保護装置においては、開口部が筐体内部の確認を容易にする。また、入力部の操作時には遮蔽部が覗き窓を除いて開口部を閉じることにより第三者の視線を遮るという作用を有する。
【００１３】
請求項５記載の発明は、請求項４記載の入力情報保護装置において、筐体は不透明素材に代えて透明素材によって形成され、入力部の使用時には筐体の内部を略完全に遮蔽し、筐体の不使用時には筐体の表面を通して内部を露出させることを特徴とするものである。
このような構造の入力情報保護装置においては、開口部を設けなくとも筺体内部を確認することができる。従って、入力情報保護装置が簡単な構造となる。また、透明素材からなる筺体は死角を少なくして筺体内部全体の視認を容易にする。
【００１４】
請求項６記載の発明は、請求項１又は請求項２に記載の入力情報保護装置において、筐体の少なくとも一部は、液晶が封入された透明な部材と一対の偏光フィルターによって形成されるとともに、液晶に電圧を印加する電源部を備えたことを特徴とするものである。
このような構造の入力情報保護装置によれば、筺体の光透過性が電気的に切り替えられるという作用を有する。
【００１５】
請求項７記載の発明は、請求項１記載の入力情報保護装置において、筐体は端末装置等における入力部の設置面に設けられたスリット状の収納部に引き出し自在に収納されることを特徴とするものである。
このような構造の入力情報保護装置においては、筺体を収納すると入力部は開放状態となり、筺体を引き出すと入力部が覆われるという作用を有する。  
【００１６】
請求項８記載の発明は、請求項１乃至請求項７のいずれか１項に記載の入力情報保護装置において、圧電素子と、この圧電素子に電圧を供給して縦弾性波を発生させる電源部と、演算処理部と、メモリ部とを備え、圧電素子は縦弾性波に対する応答波形を検知し、この応答波形がメモリ部に予め記憶されている基準応答波形と異なる場合に演算処理部が検出信号を発することを特徴とするものである。
このような構造の入力情報保護装置においては、筐体内部に異物を取り付ける等の不正な加工が施された場合に、それを検出するという作用を有する。
【００１７】
請求項９記載の発明は、請求項８記載の入力情報保護装置において、圧電素子に代えて振動センサを備え、この振動センサに電源部は電圧を供給し、演算処理部は振動センサが所望の大きさを超える振動を検知した場合に検出信号を発することを特徴とするものである。
このような構造の入力情報保護装置によれば、筐体などに不正な加工を施そうとすると、その際に発生する振動が検知されるという作用を有する。
【発明の効果】
【００１８】
以上説明したように、本発明の請求項１記載の入力情報保護装置においては、秘匿情報又は認証情報等の入力情報の漏洩を防ぐことができる。また、使用者の手が異物によって傷つけられるおそれがない。
【００１９】
本発明の請求項２記載の入力情報保護装置においては、覗き窓の位置を使用者が入力部を最も見え易い高さに調節するとともに、第三者には入力部が見え難い高さに調節することができる。これにより、使用者は安全に情報の入力操作を行うことができる。
【００２０】
また、請求項３に記載の入力情報保護装置においては、入力部の操作を短時間で行うことができる。従って、利便性が向上する。
【００２１】
本発明の請求項４記載の入力情報保護装置においては、開口部を通して筐体内部を目視で確認することにより、異物があった場合には容易に発見することができる。また、操作中の入力部を遮蔽部によって覆い隠すことにより、入力情報の漏洩を防ぐことができる。すなわち、異物の検出及び入力情報の保護が簡単な構造で実現される。従って、装置の製造コストを安くすることが可能である。
【００２２】
本発明の請求項５記載の入力情報保護装置においては、請求項４記載の発明よりも簡単な構造で、その発明と同様の効果を奏する。また、筺体の内部を隅々まで確認できるため、異物を見落とす可能性が少ない。従って、安全性が高まる。
【００２３】
本発明の請求項６記載の入力情報保護装置においては、使用者が入力部を操作しない場合には、筺体を透明な状態として筺体内部の点検を容易にするとともに、使用者が入力部を操作する場合には、液晶に電圧を印加して筺体を不透明な状態とすることにより第三者の覗き込みを効果的に防止することが可能である。
【００２４】
本発明の請求項７記載の入力情報保護装置においては、使用者が入力部を操作しない場合には異物の有無の検出を容易にするとともに、使用者が入力部を操作する場合には第三者の覗き込みを確実に防止することができる。
【００２５】
本発明の請求項８記載の入力情報保護装置においては、筺体内部に異物が無いことを事前に知ることができるため、使用者は安心して入力部の操作を行うことができる。
【００２６】
本発明の請求項９記載の入力情報保護装置においては、請求項８記載の発明よりも簡単な構造によって、筺体等に施される不正な加工を検出することができる。
【発明を実施するための最良の形態】
【００２７】
本発明に係る入力情報保護装置は、例えば、銀行等で使用される現金自動預入支払機などの入力部を覆うように設置して、入力情報が漏洩しないように保護するためのものである。以下に、本発明の最良の実施の形態に係る入力情報保護装置の実施例について説明する。
【実施例１】
【００２８】
実施例１の入力情報保護装置の構成について図１乃至図３を用いて説明する（特に、請求項１又は請求項２に対応）。
図１は（ａ）は本発明の実施の形態に係る入力情報保護装置の実施例１の外観斜視図であり、（ｂ）及び（ｃ）はそれぞれ図１（ａ）のＸ−Ｘ線矢視要部断面図及びＹ−Ｙ線矢視要部断面である。また、図２（ａ）乃至（ｃ）はそれぞれ実施例１の入力情報保護装置の平面図、正面図及び側面図であり、図３は実施例１の入力情報保護装置の板材の外観斜視図である。
図１及び図２に示すように、本実施例の入力情報保護装置１ａは、合成樹脂製の不透明素材からなる中空半円柱形状の筐体２を備え、その内部にテンキーと呼ばれる入力部３が設置されている。入力部３はキーを押下して文字や数字を入力する構造となっており、筐体２はこの入力部３の操作状況を覆い隠すことにより、入力情報の漏洩を防いでいる。なお、入力部３はテンキーに限定されるものではなく、例えば、表示画面に手を触れて操作する、いわゆるタッチパネルタイプであっても良い。
筐体２の表面２ａの使用者から見て手前側の下部には駆動部４ｂによって駆動される開閉扉４ａを有する挿入口４が設けられており、筐体２の内部には図３に示す略矩形状の板材５がその下部側面の近傍に取り付けられた支軸部５ａを中心として図２（ｃ）に矢印Ａで示す方向に回動自在に、半円形状の側面２ｂの中心部に取り付けられている。
また、板材５は支軸部５ａに連結された駆動部５ｃによって駆動されており、その回動によって支軸部５ａに発生するトルクはセンサ６によって検出される。そして、板材５が異物に接触してセンサ６によって検出されるトルクの変化量が所望の値を超えた場合には、処理部７が後述の検出信号を発し、報知部１１は発光して筐体２の内部に異物が存在することを報知する。すなわち、板材５、センサ６及び処理部７は筐体２の異物の存在を検出する異物検出部を構成している。また、回動する板材５は異物を排除するように作用する。
なお、図示していないが、報知部１１は処理部７ととともに制御部８に電気的に接続されている。また、板材５には、回動した際に入力部３に当接する可能性のある箇所に予め開口部５ｂが設けられており、板材５の回動によって入力部３が破損しない構造となっている。
但し、板材５が入力部３に当接しないように回動角度を制御する場合には、開口部５ｂは設けなくともよい。また、板材５は図３では厚肉に示されているが、この厚さは駆動部５ｃが発揮し得るトルクに応じて薄くしてもよく、特に限定するものではないし、さらには板材５の軽量化のために異物検知の機能を阻害しない程度に、開口部５ｂを入力部３に当接する部分以外において形成してもよい。さらに、駆動部５ｃには制御部８が接続されており、処理部７の発する後述の検出信号に基づいてその動作を制御している。
加えて、筐体２の表面２ａの使用者から見て手前側の上部には両側にガイド部２ｄを有する窓用開口部２ｃが設けられ、不透明素材で形成される窓板９がこの窓用開口部２ｃを遮蔽している。なお、窓板９の上面には覗き窓９ａが形成されるとともに、把手１０が取り付けられている。
また、図１（ｂ）及び（ｃ）に示すように、窓板９は側面視円弧状をなしており、その両端はガイド部２ｄに摺動自在に嵌合されている。すなわち、窓板９は筐体２の表面２ａに沿ってスライド可能となっている。従って、使用者は把手１０を持って窓板９をスライドさせて覗き窓９ａを入力部３が見え易い位置まで移動させることができる。これにより、入力部３の操作が容易となって、使用者の誤入力が防止される。また、覗き窓９ａを最小限の大きさにして、第三者がより覗き込み難くすることが可能である。
本実施例においては、センサ６が支軸部５ａに発生するトルクを検出する構成となっているが、これに限定されるものではない。すなわち、センサ６は支軸部５ａに発生するトルクを検出する代わりに、板材５に加わる力を検出するものであっても良い。
【００２９】
次に、入力情報保護装置１ａの動作手順について図４を用いて説明する。
図４は実施例１の入力情報保護装置のシステム構成図である。なお、図１乃至図３に示した構成要素については同一の符号を付してその説明を省略する。また、図１乃至図３には図示していないが、図４に示す外部装置１２は、現金自動預入支払機などに設置されるカード読み取り機である。
図４に示すように、外部装置１２に対してカードが挿入及び抜出されると、開始信号ａ１及び終了信号ａ２がそれぞれ制御部８に送られる。開始信号ａ１を受けた制御部８は駆動部５ｃに指令信号ｂ１を送って予め設定される所定の回数だけ板材５を回動往復させる。センサ６は、板材５の回動によって支軸部５ａに発生するトルクを出力データｃとして処理部７に送る。処理部７ではこの出力データｃに対してＡ／Ｄ変換や信号増幅などの処理を施して支軸部５ａに発生するトルクの変化量を求め、その値が所望の数値を超えた場合に検出信号ｄを発する。検出信号ｄを受けた制御部８は報知部１１に指令信号ｂ２を送り、報知部１１はこの指令信号ｂ２に従って発光する。これにより、板材５、センサ６及び処理部７からなる異物検出部によって異物が検出されたことが使用者等に報知される。なお、報知部１１は発光とともに音を発する構造あるいは発光せずに音のみを発する構造としても良い。また、報知部１１は必ずしも必要とは限らず、省略しても良い。さらに、報知部１１の代わりに、液晶パネル等によって異物が検出されたことを絵や文字で表現して表示する表示部を備えた構造とすることもできる。なお、報知部１１と表示部の両方を備えた構造であっても良い。また、報知部１１に警備会社や現金自動預入支払機の管理者等に通報信号を送信する機能を備えた構造としても良い。
異物検出部によって異物が検出されない場合、すなわち、駆動部５ｃに指令信号ｂ１を送った後、予め設定した所定時間内に処理部７から検出信号ｄが送られてこない場合には、制御部８は駆動部４ｂに指令信号ｂ３を送り、駆動部４ｂはこの指令信号ｂ３に従って開閉扉４ａを開く。これにより、使用者は挿入口４から手を挿入して入力部３を操作することが可能となる。また、所定時間内に処理部７から検出信号ｄが送信されない場合には、制御部８は報知部１１に安全を知らせる発光を促すための指令信号を発してもよい。また、その際には、異物の検出と安全の確認という２つの結果を判別可能に赤色と青色などの異なる色あるいは、連続発光と点滅発光など異なる状態に発光させることが望ましい。
また、外部装置１２からカードが抜かれて、終了信号ａ２が制御部８に送られると、制御部８は駆動部４ｂに指令信号ｂ４を送る。駆動部４ｂはこの指令信号ｂ４を受けて開閉扉４ａを閉じて、入力部３を操作不能な状態とする。この状態は、同時に、入力部３の周囲や筐体２内部に個人情報を読み取るための盗撮用カメラ等の設置を困難とするものである。
【００３０】
このような構成の入力情報保護装置１ａにおいては、使用者の背後にいる第三者から覗き込まれたり、予め筐体２の外部に設置された小型カメラなどによって隠し撮りされたりしないように、位置の調整が可能な覗き窓９ａを備えた筐体２によって入力部３の操作状況を効率良く遮蔽して、入力情報を確実に保護することが可能である。また、筐体２の内部へ小型カメラ等の異物が設置されないように防ぐことができる。そして、外部装置１２にカードが挿入されていないときは、挿入口４が閉じられているため、カードを持っていない第三者は挿入口４から筐体２の内部に手を挿入させることができない。すなわち、第三者による入力部３の意図的な破損や筐体２内への異物の設置を防ぐことが可能である。さらに、使用者は筐体２の内部に異物が存在しないことを確認した上で入力部３の操作を行うことが可能である。従って、使用者は安心して挿入口４から筐体２内に手を挿入して入力部３の操作を行うことができる。
【００３１】
本実施例の入力情報保護装置１ａにおいては、板材５を回動させた場合の死角、すなわち、板材５が接触不可能な空間を少なくするために、筐体２を中空の半円柱形状とすることが望ましいが、これに限定されるものではない。すなわち、中空の直方体形状あるいはそれ以外の形状としても良い。そして、筺体２が中空の直方体形状の場合には、例えば、板材５をこの筺体２の内壁面に設けたガイドレールに沿って移動自在に設置すると良い。これにより、板材５が接触不可能な空間を少なくすることができる。また、筐体２は合成樹脂製に限らず、例えば、軽金属製やガラス製又はステンレス製など筐体を構成できる材料であれば良く、特に限定されるものではない。さらに、前述のとおり板材５は入力部３に接触しない範囲で回動可能とすることによれば、開口部５ｂを設けない構造とすることもできる。また、異物に接触した際に板材５が破損しないように、制御部８は検出信号ｄを受けた場合に駆動部５ｃに指令信号を送って板材５の回動を速やかに停止させる構造としても良い。加えて、外部装置１２はカード読み取り機以外の装置であっても良い。例えば、使用者の存在を感知した場合に開始信号ａ１を発し、使用者の存在を感知しない場合には終了信号ａ２を発するセンサ等を外部装置１２としても良い。また、外部装置１２を操作開始ボタン及び操作終了ボタンとして、各ボタンが押された場合に開始信号ａ１及び終了信号ａ２がそれぞれ制御部８に送られる構造としても良い。
さらに、開閉扉４ａは必ずしも設けなくともよく、挿入口４は開閉扉４ａを備えない単なる開口部とすることもできる。この場合、異物検出部からの検出結果が開閉扉４ａの開閉で判断できないため、処理部７から所定の時間内に検出信号ｄが送信されない場合、すなわち安全が確認された場合には、前述のとおり制御部８が報知部１１に安全を知らせる発光を促すための指令信号を発することで、個人情報などの入力を開始することができる。また、開閉扉４ａは筺体２の外側に開く代わりに、回動により筺体２の底面下側に沈み込む構造としても良い。これにより、不審者による開閉扉４ａへの悪戯を防ぐことができる。
また、把手１０の設置場所は、本実施例に示す場合に限定されるものではなく、適宜変更可能である。そして、１個に限らず２個以上設けても良い。例えば、覗き窓９ａの両側に把手１０をそれぞれ設置することによれば、使用者は左右どちらの手でも容易に把手１０を持って覗き窓９ａの位置調整を行うことが可能である。加えて、覗き窓９ａの位置調整が不要な場合には、窓用開口部２ｃを設けずに、筺体２の表面２ａに窓板９の覗き窓９ａに相当する窓部を設ける構造としても良い。さらに、駆動部４ｂ、ガイド部２ｄ、窓板９を筺体２の外部に設置して、筺体２の内側への突出部分を少なくすることもできる。この場合、板材５が接触不可能な空間を少なくなる。
【実施例２】
【００３２】
実施例２の入力情報保護装置の構成について図５乃至図７を用いて説明する（特に、請求項４に対応）。
図５（ａ）及び（ｂ）はともに本発明の実施の形態に係る入力情報保護装置の実施例２の外観斜視図である。また、図６（ａ）は実施例２の入力情報保護装置の遮蔽部の外観斜視図であり、（ｂ）及び（ｃ）はそれぞれ図６（ａ）のＸ−Ｘ線矢視断面図及びＹ−Ｙ線矢視断面図である。なお、図１乃至図３で示した構成要素については、同一の符号を付してその説明を省略する。また、実施例１に示した異物検出部の図示を省略している。
図５（ａ）及び（ｂ）に示すように、本実施例の入力情報保護装置１ｂは、実施例１の入力情報保護装置１ａにおいて覗き窓９ａに代えて、筐体２の表面２ａの使用者から見て手前側の上部及び下部にそれぞれ開口部２ｅ及び挿入口４を設けるとともに、筐体２内部に回動自在に設置された不透明素材で形成される遮蔽部１３によって開口部２ｅ及び挿入口４を遮蔽可能としたことを特徴とする。すなわち、図示していないが、入力情報保護装置１ａにおける異物検出部が入力情報保護装置１ｂについても同様に設置されている。なお、入力情報保護装置１ｂでは、開口部２ｅが開いている場合には挿入口４は閉じ、開口部２ｅが閉じると挿入口４が開いた状態となる。また、遮蔽部１３は駆動部１４によって駆動されており、この駆動部１４は制御部８によって、その動作を制御されている。
図６に示すように、遮蔽部１３は円柱側面の一部をなすとともに覗き窓１３ａが設けられた遮蔽面１３ｂと、この遮蔽面１３ｂの両側にそれぞれ接続される略扇形状の側面１３ｃ，１３ｃとからなり、側面１３ｃ，１３ｃには支軸部１３ｄ,１３ｄが形成されている。そして、開口部２ｅは遮蔽部１３によって覗き窓１３ａを除いて遮蔽される。すなわち、使用者は覗き窓１３ａを通して入力部３への操作状況を確認することができるのである。
【００３３】
次に、入力情報保護装置１ｂの動作手順について図７を用いて説明する。
図７は実施例２の入力情報保護装置のシステム構成図である。なお、図４及び図５に示した構成要素については同一の符号を付してその説明を省略する。また、入力情報保護装置１ｂを使用していない状態では、開口部２ｅは開かれ、挿入口４は閉じられている。すなわち、使用者は入力部３の操作をする前に、開口部２ｅを通して筐体２内の異物の存在を目視により容易に確認可能となっている。
図７に示すように、カードが挿入及び抜出されると外部装置１２は開始信号ａ１及び終了信号ａ２をそれぞれ発する。制御部８は開始信号ａ１を受けた場合、駆動部１４に指令信号ｂ５を送り、遮蔽部１３を回動させて挿入口４を開くとともに覗き窓１３ａを除いて開口部２ｅを遮蔽する。これにより、挿入口４から筐体２内に手を挿入して入力部３を操作することが可能となる。このとき、入力部３の操作状況は、覗き窓１３ａを除いて遮蔽される。
これに対し、制御部８が終了信号ａ２を受けた場合には、指令信号ｂ６を発する。この指令信号ｂ６を受けた駆動部１４は遮蔽部１３を回動させて挿入口４を閉じるとともに開口部２ｅを開く。これにより、入力部３への入力操作が阻止される。
本実施例の入力情報保護装置１ｂによれば、簡単な構造によって筐体２内の確認及び入力部３の遮蔽が実現される。従って、入力情報保護装置１ｂの小型化や低価格化が可能となる。
【００３４】
なお、入力情報保護装置１ｂは本実施例に示す場合に限定されるものではない。例えば、開口部２ｅを開放状態とせずに、透明部材を嵌め込んだ構造としても良い。これにより、入力情報保護装置１ｂを使用していない時でも、入力部３が常に筐体２により遮蔽された状態となり、筐体２の内部への異物の設置や筐体２内部の破損を防ぐことができる。また、遮蔽部１３を手動で回動させる構造とすることもできる。この場合には、視覚障害者も安心して利用することができる。
【実施例３】
【００３５】
実施例３の入力情報保護装置１ｃについて説明する（特に、請求項５に対応）。本実施例の入力情報保護装置１ｃは、実施例２の入力情報保護装置１ｂにおいて筺体２全体を透明な素材で形成するとともに、遮蔽部１３を蛇腹構造としたことを特徴とする。なお、筺体２の表面２ａには挿入口２ｅが設けられているが、開口部２ｅは設けられていない。また、遮蔽部１３の遮蔽面１３ｂには覗き窓１３ａと挿入口１３ｅが設けられている。さらに、入力部３を操作しないときには、挿入口４側に折り畳まれた遮蔽部１３が挿入口４を塞いでいる。このとき、筺体２の内面は遮蔽部１３によって遮蔽されていないため、表面２ａ及び側面２ｂを通して筺体２の内部を目視により確認することができる。また、入力部３を操作するときには、遮蔽部１３が略１８０度回動し、遮蔽面１３ｂと側面１３ｃによって筺体２の内面を遮蔽する。このとき、遮蔽面１３ｂに設けられた挿入口１３ｅと挿入口４が連通するため、使用者は挿入口４及び挿入口１３ｅから筺体２の内部に手を挿入して、入力部３の操作をすることができる。また、入力部３の操作状況は、遮蔽面１３ｂに設けられた覗き窓１３ａを通して目視確認することができる。なお、遮蔽部１３は筺体２の外部に設置することもできる。
このような構造の入力情報保護装置１ｃにおいては、窓用開口部２ｃを設ける必要がないため、筺体２を簡単な構造とすることができる。また、筺体２全体が透明であるため、内部を目視で確認をする際の死角が少ない。
【００３６】
なお、本実施例の入力情報保護装置１ｃでは、遮蔽部１３を蛇腹構造としているが、これに限定されるものではない。例えば、実施例２の遮蔽部１３において側面１３ｃが略半円となる形状であって、略１８０度回動して筺体２の底面下側に沈み込む構造としても良い。これにより、入力部３の操作時には筺体２の内部を略完全に遮蔽することができる。また、入力部３を操作しない時には遮蔽部１３を筺体２の底面下側に沈み込ませることにより、筺体２の略全体を露出させることが可能である。すなわち、異物を見落とすおそれがないため、入力情報保護装置１ｃを安心して使用することができる。なお、この場合においても遮蔽部１３を筺体２の内部ではなく、外部に設置する構造とすることができる。
【実施例４】
【００３７】
実施例４の入力情報保護装置の構成について図８を用いて説明する（特に、請求項８又は請求項９に対応）。
図８（ａ）は本発明の実施の形態に係る入力情報保護装置の実施例４の外観斜視図であり、（ｂ）は実施例４の入力情報保護装置の板材の外観斜視図である。なお、図１乃至図３で示した構成要素については、同一の符号を付してその説明を省略する。
図８（ａ）及び（ｂ）に示すように、本実施例の入力情報保護装置１ｄは、実施例１の入力情報保護装置１ａにおいて電源部及び演算処理部（ともに図示せず）に接続された圧電素子１５ａ，１５ｂが筐体２及び板材５にそれぞれ取り付けられた構造となっている。なお、演算処理部には、さらにメモリ部（図示せず）が接続されている。
電源部によって圧電素子１５ａ，１５ｂに対して、例えば、パルス電圧を印加すると、圧電素子１５ａ，１５ｂが伸縮して筐体２や板材５などの構造物中に縦弾性波が励起される。このとき、筐体２や板材５に対して異物が取り付けられていると、その箇所で縦弾性波は反射あるいは減衰する。従って、異物の影響を受けて変化した縦弾性波の形（以下、応答波形という。）を分析することにより、異物の有無が検出される。なお、圧電素子１５ａ，１５ｂは応答波形を検知するセンサとしても機能する。すなわち、圧電素子１５ａ，１５ｂによって励起された縦弾性波に対する応答波形は、圧電素子１５ａ，１５ｂによって検知され、信号線１６ａ，１６ｂを介して演算処理部に送られる。演算処理部では、異物が存在しない状態で予め圧電素子１５ａ，１５ｂによって検知されてメモリ部に記憶されている基準応答波形と、圧電素子１５ａ，１５ｂによって新たに検知された応答波形とを比較することにより、異常の有無を判断する。そして、異常が認められた場合には、演算処理部は制御部８に対して検出信号ｄを送る。検出信号ｄを受けた制御部８は報知部１１に指令信号ｂ２を送り、指令信号ｂ２に従って報知部１１が発光する。
このような構造の入力情報保護装置１ｄにおいては、筐体２又は板材５に対して異物を取り付ける等の不正な加工が施された場合に、それを検出して使用者等に報知するという作用を有する。これにより、使用者は筺体２内部に異物が無いことを確認した上で入力部３の操作を行うことができる。従って、操作時の安全性が高まる。
なお、圧電素子１５ａ，１５ｂに印加する電圧はパルス電圧に限定されるものではない。例えば、交流電圧を印加することもできる。この場合、筐体２や板材５などの構造物中には定常波が励起される。そして、圧電素子１５ａ，１５ｂにより検知された定常波と、予め異物が存在しない状態で検知されてメモリ部に記憶されている基準波形との比較が演算処理部においてなされ、筐体２又は板材５に対して不正に取り付けられた異物等の有無の検出が行われる。
また、圧電素子１５ａ，１５ｂの取り付け箇所や個数は図８に示す場合に限定されるものではなく、適宜変更可能である。すなわち、筺体２の内部のみならず、筺体２の外部に取り付けることもできる。ただし、圧電素子１５ａ，１５ｂは第三者によって容易に取り外すことができないような箇所に取り付けることが望ましい。さらに、圧電素子１５ａ，１５ｂ、電源部、演算処理部及びメモリ部を備える本実施例の入力情報保護装置１ｄの構成は、実施例１の入力情報保護装置１ａに限らず、実施例２又は実施例３の入力情報保護装置１ｂ，１ｃに対しても適用可能である。
加えて、圧電素子１５ａ，１５ｂの代わりに筐体２や板材５に発生した振動を検知するために、振動センサを取り付けても良い。この場合、振動センサの検知結果が演算処理部に送られる。そして、所望の大きさを超える振動が発生したと演算処理部が判断すると、制御部８に対して検出信号ｄが送られる。その結果、制御部８は報知部１１に指令信号ｂ２を送り、報知部１１は指令信号ｂ２に従って発光する。
このような構造によれば、筐体２又は板材５に対して不正な加工を施そうとすると、その際に発生する振動が振動センサによって検知される。この場合、圧電素子１５ａ，１５ｂ等を設置する場合よりも簡単な構造によって、不正な加工を検出することができる。そして、報知部１１を発光させると同時に警告音を発し、また、警備員に通報する構成とすれば、このような不正な加工を確実に防止することができる。
【実施例５】
【００３８】
実施例５の入力情報保護装置の構成について図９を用いて説明する（特に、請求項３に対応）。
図９（ａ）及び（ｂ）はそれぞれ実施例５の入力情報保護装置の平面図及び側面図である。なお、図１乃至図３で示した構成要素については、同一の符号を付してその説明を省略する。
図９（ａ）及び（ｂ）に示すように、本実施例の入力情報保護装置１ｅは実施例１の入力情報保護装置１ａにおいて、板材５、駆動部５ｃ及びセンサ６に代えて、光、音波及び電磁波の少なくともいずれかを出力する発信部１７として、例えば、赤外線センサや超音波センサを備えるとともに、この発信部からの出力に対する応答パターンを検知する受信部１８と、この応答パターンを記憶するメモリ部（図示せず）とを備えるものである。そして、発信部１７から出力された赤外線や超音波等に対する応答パターンが受信部１８で検知され、この新たに検知された応答パターンが予め筐体２の内部に異物が存在しない状態で検知されてメモリ部に記憶されている基準応答パターンと異なる場合に処理部７が制御部８に対して検出信号ｄを発することを特徴としている。すなわち、発信部１７、受信部１８、処理部７及びメモリ部は異物検出部を構成している。なお、発信部１７及び受信部１８にはそれぞれ図示しない電源部が接続されている。
このような構造によれば、異物の検出に要する時間が実施例１の入力情報保護装置１ａよりも短縮される。従って、入力部３の操作を短時間で行うことが可能となり、利便性が向上する。
なお、本実施例において、処理部７は異物が検出されたと判断した場合に検出信号ｄを発する代わりに、異物が発見されなかったと判断した場合に非検出信号を制御部８に発し、その非検出信号を受信した制御部８が報知部１１に安全を知らせる発光を促すための指令信号を発するような構成とすることもできる。また、発信部１７及び受信部１８の取り付け箇所や個数は図９に示す場合に限定されるものではなく、適宜変更可能である。ただし、発信部１７から出力された光等が届かない、いわゆる死角ができるだけ生じず、かつ、入力部３の操作の邪魔にならない箇所に設置することが望ましい。さらに、本実施例の異物検出部は、実施例１の入力情報保護装置１ａに限らず、実施例２乃至実施例４の入力情報保護装置１ｂ〜１ｄに対しても適用可能である。また、発信部１７を構成する赤外線センサ等の非接触型のセンサが筐体２内部を網羅するように回動し、予めメモリ部に記憶された筐体２内面の形状データを処理部７が参照して、距離などの相違から異物の有無を判断する構成とすることもできる。
加えて、発信部１７として光を発するＬＥＤ等の発光手段を設置し、受信部１８としてカメラ等の撮像手段を設置することもできる。そして、新たに得られた画像と、メモリ部に記憶されている異物が存在しない状態での筺体２内部の画像とが処理部７で比較され、両者に差異が認められると、処理部７から制御部８に検出信号ｄが送られる構成とすることによれば、本実施例の場合と同様の作用及び効果が発揮される。
【実施例６】
【００３９】
実施例６の入力情報保護装置の構成について説明する（特に、請求項６に対応）。
本実施例の入力情報保護装置１ｆは、実施例１の入力情報保護装置１ａにおいて、筐体２の少なくとも一部は、液晶が封入された透明な部材と一対の偏光フィルターによって形成されるとともに、液晶に電圧を印加する電源部を備えたことを特徴としている。
液晶は、電圧が印加されると分子の並びが変化するという性質を利用して、一対の偏光フィルターと組み合わされて使用されることが多い。すなわち、一対の偏光フィルターに挟まれた状態の液晶に電圧を印加することによれば、容易に光を透過させ、あるいは遮断することができる。
このような構造を有する筺体２を備えた本実施例の入力情報保護装置１ｆにおいては、筺体２の光透過性が電気的に切り替えられるという作用を有する。従って、使用者が入力部３を操作しない場合には、筺体２を透明な状態として筺体２内部の点検を容易にするとともに、使用者が入力部３を操作する場合には、液晶に電圧を印加して筺体２を、覗き窓９ａ又は窓部に相当する箇所を除いて不透明な状態とすることで第三者による覗き込みを効果的に防止することができる。
なお、本実施例の入力情報保護装置１ｆに対しても実施例４の圧電素子１５ａ，１５ｂあるいは振動センサを用いた異物検出部を取り付けることができる。
【実施例７】
【００４０】
実施例７の入力情報保護装置の構成について説明する（特に、請求項７に対応）。
本実施例の入力情報保護装置１ｇは、実施例１の入力情報保護装置１ａにおいて、窓用開口部２ｃ、ガイド部２ｃ、窓板９及び異物検出部を設ける代わりに筺体２に窓部を設け、この筺体２が端末装置等における入力部３の設置面に設けられたスリット状の収納部（図示せず）に引き出し自在に収納されることを特徴としている。
このような構造によれば、筺体２の収納により入力部３が開放状態となり、筺体２を引き出すことにより入力部３が覆われるという作用を有する。また、不正読み取り手段等の異物が取り付けられた状態では筺体２が収納部に収納されないように、収納部と筺体２との隙間を小さく設定することによれば、収納部が異物検出部として作用する。これにより、使用者が入力部３を操作しない場合には入力部３を開放状態として異物の有無の検出を容易にするとともに、使用者が入力部３を操作する場合には筺体２によって入力部３を多くことで第三者の覗き込みを確実に防止することができる。
【産業上の利用可能性】
【００４１】
以上説明したように、請求項１乃至請求項９に記載された発明は、入力部を操作して情報を入力する装置に対して適用可能である。
【図面の簡単な説明】
【００４２】
【図１】（ａ）は本発明の実施の形態に係る入力情報保護装置の実施例１の外観斜視図であり、（ｂ）及び（ｃ）はそれぞれ図１（ａ）のＸ−Ｘ線矢視要部断面図及びＹ−Ｙ線矢視要部断面図である。
【図２】（ａ）乃至（ｃ）はそれぞれ実施例１の入力情報保護装置の平面図、正面図及び側面図である。
【図３】実施例１の入力情報保護装置の板材の外観斜視図である。
【図４】実施例１の入力情報保護装置のシステム構成図である。
【図５】（ａ）及び（ｂ）はともに本発明の実施の形態に係る入力情報保護装置の実施例２の外観斜視図である。
【図６】（ａ）は実施例２の入力情報保護装置の遮蔽部の外観斜視図であり、（ｂ）及び（ｃ）はそれぞれ図６（ａ）のＸ−Ｘ線矢視断面図及びＹ−Ｙ線矢視断面図である。
【図７】実施例２の入力情報保護装置のシステム構成図である。
【図８】（ａ）は本発明の実施の形態に係る入力情報保護装置の実施例４の外観斜視図であり、（ｂ）は実施例４の入力情報保護装置の板材の外観斜視図である。
【図９】（ａ）及び（ｂ）はそれぞれ実施例５の入力情報保護装置の平面図及び側面図である。
【符号の説明】
【００４３】
１ａ〜１ｇ…入力情報保護装置  ２…筐体  ２ａ…表面  ２ｂ…側面  ２ｃ…窓用開口部  ２ｄ…ガイド部  ２ｅ…開口部  ３…入力部  ４…挿入口  ４ａ…開閉扉  ４ｂ…駆動部  ５…板材  ５ａ…支軸部  ５ｂ…開口部  ５ｃ…駆動部  ６…センサ  ７…処理部  ８…制御部  ９…窓板  ９ａ…覗き窓  １０…把手  １１…報知部  １２…外部装置  １３…遮蔽部  １３ａ…覗き窓  １３ｂ…遮蔽面  １３ｃ…側面  １３ｄ…支軸部  １３ｅ…挿入口  １４…駆動部  １５ａ，１５ｂ…圧電素子  １６ａ，１６ｂ…信号線  １７…発信部  １８…受信部  Ａ…矢印  ａ１…開始信号  ａ２…終了信号  ｂ１〜ｂ６…指令信号  ｃ…出力データ  ｄ…検知信号
【図１】
2008027433.tif 000003
【図２】
2008027433.tif 000004
【図３】
2008027433.tif 000005
【図４】
2008027433.tif 000006
【図５】
2008027433.tif 000007
【図６】
2008027433.tif 000008
【図７】
2008027433.tif 000009
【図８】
2008027433.tif 000010
【図９】
2008027433.tif 000011
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
キーボード又は画面の操作によって秘匿情報又は認証情報が入力される入力部に覆設される入力情報保護装置において、前記入力部を覆うとともに使用者から見て手前側の上部及び下部に窓部及び挿入口がそれぞれ設けられた不透明素材からなる筐体と、この筺体内部に設置された異物を検出する異物検出部とを備え、この異物検出部は前記筐体の下部側面の近傍に取り付けられた支軸部を中心として回動自在に設置される板材と、この板材に加えられた力を検出するセンサと、このセンサの検出値が所望の値を超えた場合に検出信号を発する処理部と、前記板材を回動する駆動部とからなることを特徴とする入力情報保護装置。
【請求項２】
キーボード又は画面の操作によって秘匿情報又は認証情報が入力される入力部に覆設される入力情報保護装置において、前記入力部を覆うとともに使用者から見て手前側の上部及び下部に窓部及び挿入口がそれぞれ設けられた不透明素材からなる筐体と、この筺体内部に設置された異物を検出する異物検出部とを備えるとともに、
この異物検出部は、光、音波及び電磁波の少なくともいずれかを出力する発信部と，この発信部からの出力に対する応答パターンを検知する受信部と，この応答パターンを記憶するメモリ部とを備え、
前記受信部によって新たに検知される応答パターンが予め前記筐体内部に異物が存在しない状態で検知されて前記メモリ部に記憶されている基準応答パターンと異なる場合に検出信号を発する処理部を備えることを特徴とする入力情報保護装置。
【請求項３】
キーボード又は画面の操作によって秘匿情報又は認証情報が入力される入力部に覆設される入力情報保護装置において、前記入力部を覆うとともに使用者から見て手前側の上部及び下部に開口部及び挿入口がそれぞれ設けられた不透明素材からなる筐体と、遮蔽面に覗き窓が設けられるとともに前記筐体の下部側面の近傍に取り付けられた支軸部を中心として回動自在に設置される不透明素材からなる遮蔽部と、この筺体内部に設置された異物を検出する異物検出部とを備え、この異物検出部は前記筐体の下部側面の近傍に取り付けられた支軸部を中心として回動自在に設置される板材と、この板材に加えられた力を検出するセンサと、このセンサの検出値が所望の値を超えた場合に検出信号を発する処理部と、前記板材を回動する駆動部とからなり、前記遮蔽部は、前記入力部の使用時には前記挿入口を遮蔽することなく前記覗き窓を除いて前記開口部を遮蔽し、前記入力部の不使用時には前記開口部を遮蔽することなく前記挿入口を遮蔽することを特徴とする入力情報保護装置。
【請求項４】
上面に覗き窓が設けられた不透明素材からなる窓板を備え、前記筐体は使用者から見て手前側上部に前記窓部に代えて窓用開口部が設けられ、前記窓板は、この窓用開口部の前記覗き窓以外の箇所を遮蔽可能に、かつ前記筐体表面に沿って摺動自在に設置されることを特徴とする請求項１乃至請求項３のいずれか１項に記載の入力情報保護装置。
【請求項５】
前記筐体は不透明素材に代えて透明素材によって形成され、前記遮蔽部は蛇腹構造に形成され、前記入力部を操作しないときには前記挿入口側に折畳まれて前記挿入口を塞ぎ、前記入力部を操作するときには回動して前記覗き窓を除いて前記筐体の内部を前記遮蔽部の遮蔽面とその側面によって遮蔽するとともに前記筐体の挿入口と前記遮蔽部の挿入口を連通可能に設置されることを特徴とする請求項３記載の入力情報保護装置。
【請求項６】
前記筐体は不透明素材に代えて透明素材によって形成され、前記遮蔽部は回動して前記筐体の底面下側に収納可能に設置され、前記入力部を操作するときには前記筐体の内部が前記遮蔽部の前記遮蔽面とその側面によって前記覗き窓を除いて遮蔽されるとともに前記筐体の挿入口と前記遮蔽部の挿入口が連通し、前記入力部を操作しないときには前記遮蔽部が回動して前記筐体の底面下側に沈み込むことにより前記筐体の略全体が露出されることを特徴とする請求項３記載の入力情報保護装置。
【請求項７】
前記筐体の少なくとも一部は、液晶が封入された透明な部材と一対の偏光フィルターによって形成されるとともに、前記液晶に電圧を印加する電源部を備えたことを特徴とする請求項１又は請求項２に記載の入力情報保護装置。
【請求項８】
キーボード又は画面の操作によって秘匿情報又は認証情報が入力される入力部に覆設される入力情報保護装置において、前記入力部を覆うとともに使用者から見て手前側の上部及び下部に窓部及び挿入口がそれぞれ設けられるとともに回動可能に設置される不透明素材からなる筐体を備え、この筐体は前記入力部を操作するときには前記窓部及び前記挿入口を除いて前記入力部を遮蔽し、前記入力部を操作しないときには回動して前記入力部の設置面に設けられたスリット状の収納部に前記入力部の下側に沈み込むように収納されて前記入力部を露出させることを特徴とする入力情報保護装置。
【手続補正２】
【補正対象書類名】明細書
【補正対象項目名】００１０
【補正方法】変更
【補正の内容】
【００１０】
また、請求項２記載の発明は、キーボード又は画面の操作によって秘匿情報又は認証情報が入力される入力部に覆設される入力情報保護装置において、入力部を覆うとともに使用者から見て手前側の上部及び下部に窓部及び挿入口がそれぞれ設けられた不透明素材からなる筐体と、この筺体内部に設置された異物を検出する異物検出部とを備えるとともに、この異物検出部は、光、音波及び電磁波の少なくともいずれかを出力する発信部と，この発信部からの出力に対する応答パターンを検知する受信部と，この応答パターンを記憶するメモリ部とを備え、受信部によって新たに検知される応答パターンが予め筐体内部に異物が存在しない状態で検知されてメモリ部に記憶されている基準応答パターンと異なる場合に検出信号を発する処理部を備えることを特徴とするものである。
このような構造の入力情報保護装置においては、請求項１に記載の発明よりも異物の検知に要する時間が短縮されるという作用を有する。
【手続補正３】
【補正対象書類名】明細書
【補正対象項目名】００１１
【補正方法】変更
【補正の内容】
【００１１】
また、請求項３記載の発明は、キーボード又は画面の操作によって秘匿情報又は認証情報が入力される入力部に覆設される入力情報保護装置において、前記入力部を覆うとともに使用者から見て手前側の上部及び下部に開口部及び挿入口がそれぞれ設けられた不透明素材からなる筐体と、遮蔽面に覗き窓が設けられるとともに筐体の下部側面の近傍に取り付けられた支軸部を中心として回動自在に設置される不透明素材からなる遮蔽部と、この筺体内部に設置された異物を検出する異物検出部とを備え、この異物検出部は筐体の下部側面の近傍に取り付けられた支軸部を中心として回動自在に設置される板材と、この板材に加えられた力を検出するセンサと、このセンサの検出値が所望の値を超えた場合に検出信号を発する処理部と、板材を回動する駆動部とからなり、遮蔽部は、入力部の使用時には挿入口を遮蔽することなく覗き窓を除いて開口部を遮蔽し、入力部の不使用時には開口部を遮蔽することなく挿入口を遮蔽することを特徴とするものである。
このような構造の入力情報保護装置においては、開口部が筐体内部の確認を容易にする。また、入力部の操作時には遮蔽部が覗き窓を除いて開口部を閉じることにより第三者の視線を遮るという作用を有する。
【手続補正４】
【補正対象書類名】明細書
【補正対象項目名】００１２
【補正方法】変更
【補正の内容】
【００１２】
請求項４記載の発明は、請求項１乃至請求項３のいずれか１項に記載の入力情報保護装置において、上面に覗き窓が設けられた不透明素材からなる窓板を備え、筐体は使用者から見て手前側上部に窓部に代えて窓用開口部が設けられ、窓板は、この窓用開口部の覗き窓以外の箇所を遮蔽可能に、かつ筐体表面に沿って摺動自在に設置されることを特徴とするものである。
このような構造の入力情報保護装置においては、使用者の視点の高さに応じて覗き窓の位置が容易に調節される。
【手続補正５】
【補正対象書類名】明細書
【補正対象項目名】００１３
【補正方法】変更
【補正の内容】
【００１３】
請求項５記載の発明は、請求項３記載の入力情報保護装置において、筐体は不透明素材に代えて透明素材によって形成され、遮蔽部は蛇腹構造に形成され、入力部を操作しないときには挿入口側に折畳まれて挿入口を塞ぎ、入力部を操作するときには回動して覗き窓を除いて筐体の内部を遮蔽部の遮蔽面とその側面によって遮蔽するとともに筐体の挿入口と遮蔽部の挿入口を連通可能に設置されることを特徴とするものである。
このような構造の入力情報保護装置においては、開口部を設けなくとも筺体内部を確認することができる。従って、入力情報保護装置が簡単な構造となる。また、透明素材からなる筺体は死角を少なくして筺体内部全体の視認を容易にする。
【手続補正６】
【補正対象書類名】明細書
【補正対象項目名】００１４
【補正方法】変更
【補正の内容】
【００１４】
請求項６記載の発明は、請求項３記載の入力情報保護装置において、筐体は不透明素材に代えて透明素材によって形成され、遮蔽部は回動して筐体の底面下側に収納可能に設置され、入力部を操作するときには筐体の内部が遮蔽部の遮蔽面とその側面によって覗き窓を除いて遮蔽されるとともに筐体の挿入口と遮蔽部の挿入口が連通し、入力部を操作しないときには遮蔽部が回動して筐体の底面下側に沈み込むことにより筐体の略全体が露出されることを特徴とするものである。
このような構造の入力情報保護装置によれば、請求項５記載の発明と同様の作用を有する。
【手続補正７】
【補正対象書類名】明細書
【補正対象項目名】００１５
【補正方法】変更
【補正の内容】
【００１５】
請求項７記載の発明は、請求項１又は請求項２に記載の入力情報保護装置において、筐体の少なくとも一部は、液晶が封入された透明な部材と一対の偏光フィルターによって形成されるとともに、液晶に電圧を印加する電源部を備えたことを特徴とするものである。
このような構造の入力情報保護装置によれば、筺体の光透過性が電気的に切り替えられるという作用を有する。
【手続補正８】
【補正対象書類名】明細書
【補正対象項目名】００１６
【補正方法】変更
【補正の内容】
【００１６】
請求項８記載の発明は、キーボード又は画面の操作によって秘匿情報又は認証情報が入力される入力部に覆設される入力情報保護装置において、入力部を覆うとともに使用者から見て手前側の上部及び下部に窓部及び挿入口がそれぞれ設けられるとともに回動可能に設置される不透明素材からなる筐体を備え、この筐体は入力部を操作するときには窓部及び挿入口を除いて入力部を遮蔽し、入力部を操作しないときには回動して入力部の設置面に設けられたスリット状の収納部に入力部の下側に沈み込むように収納されて入力部を露出させることを特徴とするものである。
このような構造の入力情報保護装置においては、筺体を収納すると入力部は開放状態となり、筺体を引き出すと入力部が覆われるという作用を有する。
【手続補正９】
【補正対象書類名】明細書
【補正対象項目名】００１７
【補正方法】削除
【補正の内容】
【手続補正１０】
【補正対象書類名】明細書
【補正対象項目名】００１９
【補正方法】変更
【補正の内容】
【００１９】
本発明の請求項２記載の入力情報保護装置においては、入力部の操作を短時間で行うことができる。従って、利便性が向上する。
【手続補正１１】
【補正対象書類名】明細書
【補正対象項目名】００２０
【補正方法】変更
【補正の内容】
【００２０】
また、請求項３に記載の入力情報保護装置においては、開口部を通して筐体内部を目視で確認することにより、異物があった場合には容易に発見することができる。また、操作中の入力部を遮蔽部によって覆い隠すことにより、入力情報の漏洩を防ぐことができる。すなわち、異物の検出及び入力情報の保護が簡単な構造で実現される。従って、装置の製造コストを安くすることが可能である。
【手続補正１２】
【補正対象書類名】明細書
【補正対象項目名】００２１
【補正方法】変更
【補正の内容】
【００２１】
本発明の請求項４記載の入力情報保護装置においては、覗き窓の位置を使用者が入力部を最も見え易い高さに調節するとともに、第三者には入力部が見え難い高さに調節することができる。これにより、使用者は安全に情報の入力操作を行うことができる。
【手続補正１３】
【補正対象書類名】明細書
【補正対象項目名】００２２
【補正方法】変更
【補正の内容】
【００２２】
本発明の請求項５又は請求項６に記載の入力情報保護装置においては、請求項３記載の発明よりも簡単な構造で、その発明と同様の効果を奏する。また、筺体の内部を隅々まで確認できるため、異物を見落とす可能性が少ない。従って、安全性が高まる。
【手続補正１４】
【補正対象書類名】明細書
【補正対象項目名】００２３
【補正方法】変更
【補正の内容】
【００２３】
本発明の請求項７記載の入力情報保護装置においては、使用者が入力部を操作しない場合には、筺体を透明な状態として筺体内部の点検を容易にするとともに、使用者が入力部を操作する場合には、液晶に電圧を印加して筺体を不透明な状態とすることにより第三者の覗き込みを効果的に防止することが可能である。
【手続補正１５】
【補正対象書類名】明細書
【補正対象項目名】００２４
【補正方法】変更
【補正の内容】
【００２４】
本発明の請求項８記載の入力情報保護装置においては、使用者が入力部を操作しない場合には異物の有無の検出を容易にするとともに、使用者が入力部を操作する場合には第三者の覗き込みを確実に防止することができる。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２８
【補正方法】変更
【補正の内容】
【００２８】
実施例１の入力情報保護装置の構成について図１乃至図３を用いて説明する（特に、請求項１又は請求項４に対応）。
図１は（ａ）は本発明の実施の形態に係る入力情報保護装置の実施例１の外観斜視図であり、（ｂ）及び（ｃ）はそれぞれ図１（ａ）のＸ−Ｘ線矢視要部断面図及びＹ−Ｙ線矢視要部断面である。また、図２（ａ）乃至（ｃ）はそれぞれ実施例１の入力情報保護装置の平面図、正面図及び側面図であり、図３は実施例１の入力情報保護装置の板材の外観斜視図である。
図１及び図２に示すように、本実施例の入力情報保護装置１ａは、合成樹脂製の不透明素材からなる中空半円柱形状の筐体２を備え、その内部にテンキーと呼ばれる入力部３が設置されている。入力部３はキーを押下して文字や数字を入力する構造となっており、筐体２はこの入力部３の操作状況を覆い隠すことにより、入力情報の漏洩を防いでいる。なお、入力部３はテンキーに限定されるものではなく、例えば、表示画面に手を触れて操作する、いわゆるタッチパネルタイプであっても良い。
筐体２の表面２ａの使用者から見て手前側の下部には駆動部４ｂによって駆動される開閉扉４ａを有する挿入口４が設けられており、筐体２の内部には図３に示す略矩形状の板材５がその下部側面の近傍に取り付けられた支軸部５ａを中心として図２（ｃ）に矢印Ａで示す方向に回動自在に、半円形状の側面２ｂの中心部に取り付けられている。
また、板材５は支軸部５ａに連結された駆動部５ｃによって駆動されており、その回動によって支軸部５ａに発生するトルクはセンサ６によって検出される。そして、板材５が異物に接触してセンサ６によって検出されるトルクの変化量が所望の値を超えた場合には、処理部７が後述の検出信号を発し、報知部１１は発光して筐体２の内部に異物が存在することを報知する。すなわち、板材５、センサ６及び処理部７は筐体２の異物の存在を検出する異物検出部を構成している。また、回動する板材５は異物を排除するように作用する。
なお、図示していないが、報知部１１は処理部７ととともに制御部８に電気的に接続されている。また、板材５には、回動した際に入力部３に当接する可能性のある箇所に予め開口部５ｂが設けられており、板材５の回動によって入力部３が破損しない構造となっている。
但し、板材５が入力部３に当接しないように回動角度を制御する場合には、開口部５ｂは設けなくともよい。また、板材５は図３では厚肉に示されているが、この厚さは駆動部５ｃが発揮し得るトルクに応じて薄くしてもよく、特に限定するものではないし、さらには板材５の軽量化のために異物検知の機能を阻害しない程度に、開口部５ｂを入力部３に当接する部分以外において形成してもよい。さらに、駆動部５ｃには制御部８が接続されており、処理部７の発する後述の検出信号に基づいてその動作を制御している。
加えて、筐体２の表面２ａの使用者から見て手前側の上部には両側にガイド部２ｄを有する窓用開口部２ｃが設けられ、不透明素材で形成される窓板９がこの窓用開口部２ｃを遮蔽している。なお、窓板９の上面には覗き窓９ａが形成されるとともに、把手１０が取り付けられている。
また、図１（ｂ）及び（ｃ）に示すように、窓板９は側面視円弧状をなしており、その両端はガイド部２ｄに摺動自在に嵌合されている。すなわち、窓板９は筐体２の表面２ａに沿ってスライド可能となっている。従って、使用者は把手１０を持って窓板９をスライドさせて覗き窓９ａを入力部３が見え易い位置まで移動させることができる。これにより、入力部３の操作が容易となって、使用者の誤入力が防止される。また、覗き窓９ａを最小限の大きさにして、第三者がより覗き込み難くすることが可能である。
本実施例においては、センサ６が支軸部５ａに発生するトルクを検出する構成となっているが、これに限定されるものではない。すなわち、センサ６は支軸部５ａに発生するトルクを検出する代わりに、板材５に加わる力を検出するものであっても良い。
【手続補正１９】
【補正対象書類名】明細書
【補正対象項目名】００３２
【補正方法】変更
【補正の内容】
【００３２】
実施例２の入力情報保護装置の構成について図５乃至図７を用いて説明する（特に、請求項３に対応）。
図５（ａ）及び（ｂ）はともに本発明の実施の形態に係る入力情報保護装置の実施例２の外観斜視図である。また、図６（ａ）は実施例２の入力情報保護装置の遮蔽部の外観斜視図であり、（ｂ）及び（ｃ）はそれぞれ図６（ａ）のＸ−Ｘ線矢視断面図及びＹ−Ｙ線矢視断面図である。なお、図１乃至図３で示した構成要素については、同一の符号を付してその説明を省略する。また、実施例１に示した異物検出部の図示を省略している。
図５（ａ）及び（ｂ）に示すように、本実施例の入力情報保護装置１ｂは、実施例１の入力情報保護装置１ａにおいて覗き窓９ａに代えて、筐体２の表面２ａの使用者から見て手前側の上部及び下部にそれぞれ開口部２ｅ及び挿入口４を設けるとともに、筐体２内部に回動自在に設置された不透明素材で形成される遮蔽部１３によって開口部２ｅ及び挿入口４を遮蔽可能としたことを特徴とする。すなわち、図示していないが、入力情報保護装置１ａにおける異物検出部が入力情報保護装置１ｂについても同様に設置されている。なお、入力情報保護装置１ｂでは、開口部２ｅが開いている場合には挿入口４は閉じ、開口部２ｅが閉じると挿入口４が開いた状態となる。また、遮蔽部１３は駆動部１４によって駆動されており、この駆動部１４は制御部８によって、その動作を制御されている。
図６に示すように、遮蔽部１３は円柱側面の一部をなすとともに覗き窓１３ａが設けられた遮蔽面１３ｂと、この遮蔽面１３ｂの両側にそれぞれ接続される略扇形状の側面１３ｃ，１３ｃとからなり、側面１３ｃ，１３ｃには支軸部１３ｄ,１３ｄが形成されている。そして、開口部２ｅは遮蔽部１３によって覗き窓１３ａを除いて遮蔽される。すなわち、使用者は覗き窓１３ａを通して入力部３への操作状況を確認することができるのである。
【手続補正２０】
【補正対象書類名】明細書
【補正対象項目名】００３５
【補正方法】変更
【補正の内容】
【００３５】
実施例３の入力情報保護装置１ｃについて説明する（特に、請求項５又は請求項６に対応）。本実施例の入力情報保護装置１ｃは、実施例２の入力情報保護装置１ｂにおいて筺体２全体を透明な素材で形成するとともに、遮蔽部１３を蛇腹構造としたことを特徴とする。なお、筺体２の表面２ａには挿入口２ｅが設けられているが、開口部２ｅは設けられていない。また、遮蔽部１３の遮蔽面１３ｂには覗き窓１３ａと挿入口１３ｅが設けられている。さらに、入力部３を操作しないときには、挿入口４側に折り畳まれた遮蔽部１３が挿入口４を塞いでいる。このとき、筺体２の内面は遮蔽部１３によって遮蔽されていないため、表面２ａ及び側面２ｂを通して筺体２の内部を目視により確認することができる。また、入力部３を操作するときには、遮蔽部１３が略１８０度回動し、遮蔽面１３ｂと側面１３ｃによって筺体２の内面を遮蔽する。このとき、遮蔽面１３ｂに設けられた挿入口１３ｅと挿入口４が連通するため、使用者は挿入口４及び挿入口１３ｅから筺体２の内部に手を挿入して、入力部３の操作をすることができる。また、入力部３の操作状況は、遮蔽面１３ｂに設けられた覗き窓１３ａを通して目視確認することができる。なお、遮蔽部１３は筺体２の外部に設置することもできる。
このような構造の入力情報保護装置１ｃにおいては、窓用開口部２ｃを設ける必要がないため、筺体２を簡単な構造とすることができる。また、筺体２全体が透明であるため、内部を目視で確認をする際の死角が少ない。
【手続補正２１】
【補正対象書類名】明細書
【補正対象項目名】００３７
【補正方法】変更
【補正の内容】
【００３７】
実施例４の入力情報保護装置の構成について図８を用いて説明する。
図８（ａ）は本発明の実施の形態に係る入力情報保護装置の実施例４の外観斜視図であり、（ｂ）は実施例４の入力情報保護装置の板材の外観斜視図である。なお、図１乃至図３で示した構成要素については、同一の符号を付してその説明を省略する。
図８（ａ）及び（ｂ）に示すように、本実施例の入力情報保護装置１ｄは、実施例１の入力情報保護装置１ａにおいて電源部及び演算処理部（ともに図示せず）に接続された圧電素子１５ａ，１５ｂが筐体２及び板材５にそれぞれ取り付けられた構造となっている。なお、演算処理部には、さらにメモリ部（図示せず）が接続されている。
電源部によって圧電素子１５ａ，１５ｂに対して、例えば、パルス電圧を印加すると、圧電素子１５ａ，１５ｂが伸縮して筐体２や板材５などの構造物中に縦弾性波が励起される。このとき、筐体２や板材５に対して異物が取り付けられていると、その箇所で縦弾性波は反射あるいは減衰する。従って、異物の影響を受けて変化した縦弾性波の形（以下、応答波形という。）を分析することにより、異物の有無が検出される。なお、圧電素子１５ａ，１５ｂは応答波形を検知するセンサとしても機能する。すなわち、圧電素子１５ａ，１５ｂによって励起された縦弾性波に対する応答波形は、圧電素子１５ａ，１５ｂによって検知され、信号線１６ａ，１６ｂを介して演算処理部に送られる。演算処理部では、異物が存在しない状態で予め圧電素子１５ａ，１５ｂによって検知されてメモリ部に記憶されている基準応答波形と、圧電素子１５ａ，１５ｂによって新たに検知された応答波形とを比較することにより、異常の有無を判断する。そして、異常が認められた場合には、演算処理部は制御部８に対して検出信号ｄを送る。検出信号ｄを受けた制御部８は報知部１１に指令信号ｂ２を送り、指令信号ｂ２に従って報知部１１が発光する。
このような構造の入力情報保護装置１ｄにおいては、筐体２又は板材５に対して異物を取り付ける等の不正な加工が施された場合に、それを検出して使用者等に報知するという作用を有する。これにより、使用者は筺体２内部に異物が無いことを確認した上で入力部３の操作を行うことができる。従って、操作時の安全性が高まる。
なお、圧電素子１５ａ，１５ｂに印加する電圧はパルス電圧に限定されるものではない。例えば、交流電圧を印加することもできる。この場合、筐体２や板材５などの構造物中には定常波が励起される。そして、圧電素子１５ａ，１５ｂにより検知された定常波と、予め異物が存在しない状態で検知されてメモリ部に記憶されている基準波形との比較が演算処理部においてなされ、筐体２又は板材５に対して不正に取り付けられた異物等の有無の検出が行われる。
また、圧電素子１５ａ，１５ｂの取り付け箇所や個数は図８に示す場合に限定されるものではなく、適宜変更可能である。すなわち、筺体２の内部のみならず、筺体２の外部に取り付けることもできる。ただし、圧電素子１５ａ，１５ｂは第三者によって容易に取り外すことができないような箇所に取り付けることが望ましい。さらに、圧電素子１５ａ，１５ｂ、電源部、演算処理部及びメモリ部を備える本実施例の入力情報保護装置１ｄの構成は、実施例１の入力情報保護装置１ａに限らず、実施例２又は実施例３の入力情報保護装置１ｂ，１ｃに対しても適用可能である。
加えて、圧電素子１５ａ，１５ｂの代わりに筐体２や板材５に発生した振動を検知するために、振動センサを取り付けても良い。この場合、振動センサの検知結果が演算処理部に送られる。そして、所望の大きさを超える振動が発生したと演算処理部が判断すると、制御部８に対して検出信号ｄが送られる。その結果、制御部８は報知部１１に指令信号ｂ２を送り、報知部１１は指令信号ｂ２に従って発光する。
このような構造によれば、筐体２又は板材５に対して不正な加工を施そうとすると、その際に発生する振動が振動センサによって検知される。この場合、圧電素子１５ａ，１５ｂ等を設置する場合よりも簡単な構造によって、不正な加工を検出することができる。そして、報知部１１を発光させると同時に警告音を発し、また、警備員に通報する構成とすれば、このような不正な加工を確実に防止することができる。
【手続補正２２】
【補正対象書類名】明細書
【補正対象項目名】００３８
【補正方法】変更
【補正の内容】
【００３８】
実施例５の入力情報保護装置の構成について図９を用いて説明する（特に、請求項２に対応）。
図９（ａ）及び（ｂ）はそれぞれ実施例５の入力情報保護装置の平面図及び側面図である。なお、図１乃至図３で示した構成要素については、同一の符号を付してその説明を省略する。
図９（ａ）及び（ｂ）に示すように、本実施例の入力情報保護装置１ｅは実施例１の入力情報保護装置１ａにおいて、板材５、駆動部５ｃ及びセンサ６に代えて、光、音波及び電磁波の少なくともいずれかを出力する発信部１７として、例えば、赤外線センサや超音波センサを備えるとともに、この発信部からの出力に対する応答パターンを検知する受信部１８と、この応答パターンを記憶するメモリ部（図示せず）とを備えるものである。そして、発信部１７から出力された赤外線や超音波等に対する応答パターンが受信部１８で検知され、この新たに検知された応答パターンが予め筐体２の内部に異物が存在しない状態で検知されてメモリ部に記憶されている基準応答パターンと異なる場合に処理部７が制御部８に対して検出信号ｄを発することを特徴としている。すなわち、発信部１７、受信部１８、処理部７及びメモリ部は異物検出部を構成している。なお、発信部１７及び受信部１８にはそれぞれ図示しない電源部が接続されている。
このような構造によれば、異物の検出に要する時間が実施例１の入力情報保護装置１ａよりも短縮される。従って、入力部３の操作を短時間で行うことが可能となり、利便性が向上する。
なお、本実施例において、処理部７は異物が検出されたと判断した場合に検出信号ｄを発する代わりに、異物が発見されなかったと判断した場合に非検出信号を制御部８に発し、その非検出信号を受信した制御部８が報知部１１に安全を知らせる発光を促すための指令信号を発するような構成とすることもできる。また、発信部１７及び受信部１８の取り付け箇所や個数は図９に示す場合に限定されるものではなく、適宜変更可能である。ただし、発信部１７から出力された光等が届かない、いわゆる死角ができるだけ生じず、かつ、入力部３の操作の邪魔にならない箇所に設置することが望ましい。さらに、本実施例の異物検出部は、実施例１の入力情報保護装置１ａに限らず、実施例２乃至実施例４の入力情報保護装置１ｂ〜１ｄに対しても適用可能である。また、発信部１７を構成する赤外線センサ等の非接触型のセンサが筐体２内部を網羅するように回動し、予めメモリ部に記憶された筐体２内面の形状データを処理部７が参照して、距離などの相違から異物の有無を判断する構成とすることもできる。
加えて、発信部１７として光を発するＬＥＤ等の発光手段を設置し、受信部１８としてカメラ等の撮像手段を設置することもできる。そして、新たに得られた画像と、メモリ部に記憶されている異物が存在しない状態での筺体２内部の画像とが処理部７で比較され、両者に差異が認められると、処理部７から制御部８に検出信号ｄが送られる構成とすることによれば、本実施例の場合と同様の作用及び効果が発揮される。
【手続補正２３】
【補正対象書類名】明細書
【補正対象項目名】００３９
【補正方法】変更
【補正の内容】
【００３９】
実施例６の入力情報保護装置の構成について説明する（特に、請求項７に対応）。
本実施例の入力情報保護装置１ｆは、実施例１の入力情報保護装置１ａにおいて、筐体２の少なくとも一部は、液晶が封入された透明な部材と一対の偏光フィルターによって形成されるとともに、液晶に電圧を印加する電源部を備えたことを特徴としている。
液晶は、電圧が印加されると分子の並びが変化するという性質を利用して、一対の偏光フィルターと組み合わされて使用されることが多い。すなわち、一対の偏光フィルターに挟まれた状態の液晶に電圧を印加することによれば、容易に光を透過させ、あるいは遮断することができる。
このような構造を有する筺体２を備えた本実施例の入力情報保護装置１ｆにおいては、筺体２の光透過性が電気的に切り替えられるという作用を有する。従って、使用者が入力部３を操作しない場合には、筺体２を透明な状態として筺体２内部の点検を容易にするとともに、使用者が入力部３を操作する場合には、液晶に電圧を印加して筺体２を、覗き窓９ａ又は窓部に相当する箇所を除いて不透明な状態とすることで第三者による覗き込みを効果的に防止することができる。
なお、本実施例の入力情報保護装置１ｆに対しても実施例４の圧電素子１５ａ，１５ｂあるいは振動センサを用いた異物検出部を取り付けることができる。
【手続補正２４】
【補正対象書類名】明細書
【補正対象項目名】００４０
【補正方法】変更
【補正の内容】
【００４０】
実施例７の入力情報保護装置の構成について説明する（特に、請求項８に対応）。
本実施例の入力情報保護装置１ｇは、実施例１の入力情報保護装置１ａにおいて、窓用開口部２ｃ、ガイド部２ｃ、窓板９及び異物検出部を設ける代わりに筺体２に窓部を設け、この筺体２が端末装置等における入力部３の設置面に設けられたスリット状の収納部（図示せず）に引き出し自在に収納されることを特徴としている。
このような構造によれば、筺体２の収納により入力部３が開放状態となり、筺体２を引き出すことにより入力部３が覆われるという作用を有する。また、不正読み取り手段等の異物が取り付けられた状態では筺体２が収納部に収納されないように、収納部と筺体２との隙間を小さく設定することによれば、収納部が異物検出部として作用する。これにより、使用者が入力部３を操作しない場合には入力部３を開放状態として異物の有無の検出を容易にするとともに、使用者が入力部３を操作する場合には筺体２によって入力部３を覆うことで第三者の覗き込みを確実に防止することができる。
【手続補正２５】
【補正対象書類名】明細書
【補正対象項目名】００４１
【補正方法】変更
【補正の内容】
【００４１】
以上説明したように、請求項１乃至請求項８に記載された発明は、入力部を操作して情報を入力する装置に対して適用可能である。